(57)【要約】【課題】還流式紙葉収納装置のメンテナンスの要否を判断する作業、および、当該還流式紙葉収納装置のメンテナンスの双方を同じ場所ですることができるようにする。【解決手段】紙葉収納装置は、搬送されてくる紙葉を受け入れて紙葉収納装置に収納する収納機能、又は／及び、該紙葉収納装置に収納されている紙葉を送り出す送出機能、を備えた紙葉処理装置に装備される紙葉収納装置であって、紙葉の収納、又は送出に応じて更新される特定情報を記憶する記憶部を備えていることを特徴とする。【選択図】図５
2020004089.tif 000002
【特許請求の範囲】
【請求項１】
搬送されてくる紙葉を受け入れて紙葉収納装置に収納する収納機能、又は／及び、該紙葉収納装置に収納されている紙葉を送り出す送出機能、を備えた紙葉処理装置に装備される前記紙葉収納装置であって、
紙葉の収納、又は送出に応じて更新される特定情報を記憶する記憶部を備えていることを特徴とする紙葉収納装置。
【請求項２】
紙葉を収納、又は送出する場合に駆動される駆動部を具備し、
前記特定情報には、前記駆動部が駆動された回数を示す情報が含まれる
請求項１に記載の紙葉収納装置。
【請求項３】
請求項１又は２に記載の紙葉収納装置を着脱自在に装備していることを特徴とする紙葉処理装置。
【発明の詳細な説明】
【技術分野】
【０００１】
本発明は紙葉収納装置、及び紙葉処理装置に関する。
【背景技術】
【０００２】
投入された紙幣を受け入れることによって種々の物品やサービスを提供する機能を備えた自動販売機、遊技場の遊技媒体貸出機、券売機、入出金装置、両替機等の紙幣取扱装置に装備される紙幣処理装置としては、複数金種の紙幣の取込み、収納、及び払出しが可能な還流式のタイプが知られている。
還流式の紙幣処理装置には、予め払出し用として準備した紙幣や稼働中に投入された紙幣を金種別に、或いは金種が混在した状態で保管するための紙幣収納部が装備されている。
紙幣収納部には、紙幣を収納する一方で、紙幣を釣銭とするために外部へ排出する機能を備えた還流式紙幣収納部と、終業時等において紙幣処理装置内の全ての紙幣を回収する回収用紙幣収納部（回収庫）と、がある。これらの各種収納部は、紙幣処理装置に対して着脱自在に装着されることが多い。
【先行技術文献】
【特許文献】
【０００３】
【特許文献１】特開平１０−２７２７４号公報
【発明の概要】
【発明が解決しようとする課題】
【０００４】
紙幣処理装置の設置場所は管理人以外の者が往来できる。したがって、還流式紙幣収納部のメンテナンス（例えば、紙幣の補充）を紙幣処理装置の設置場所ですることは防犯上の問題があった。以上の事情から、上述の従来技術では、管理人が入室可能な管理室に還流式紙幣収納部を持運び、管理室において還流式紙幣収納部のメンテナンスをする場合があった。
【０００５】
紙幣収納部内の収納状態に関する情報、即ち収納されている紙幣の金種、枚数、収納状態等々や、払い出された紙幣に掛かる情報（以下「特定情報」という）は、還流式紙幣収納部のメンテナンスの要否を把握するのに必要な場合がある。しかし、以上の特定情報は、還流式紙幣収納部を着脱自在に支持する紙幣処理装置側に配置した記憶装置に記憶される。したがって、上述の従来技術では、例えば紙幣処理装置側の記憶装置に記憶された特定情報を確認した後に、管理室において還流式紙幣収納部のメンテナンスをする必要がある。
【０００６】
以上の従来技術では、還流式紙幣収納部を管理室でメンテナンスする場合、特定情報の確認作業をする場所と還流式紙幣収納部のメンテナンスをする場所とが別々になる。したがって、還流式紙幣収納部のメンテナンスの要否を特定情報から判断した直後に、当該還流式紙幣収納部のメンテナンスができないという不都合があった。以上の事情を考慮して、本発明は、上述の不都合を抑制することを目的とする。
【課題を解決するための手段】
【０００７】
以上の課題を解決するため、本発明の紙葉収納装置は、搬送されてくる紙葉を受け入れて紙葉収納装置に収納する収納機能、又は／及び、該紙葉収納装置に収納されている紙葉を送り出す送出機能、を備えた紙葉処理装置に装備される紙葉収納装置であって、紙葉の収納、又は送出に応じて更新される特定情報を記憶する記憶部を備えていることを特徴とする。以上の構成では、例えば紙葉収納装置（紙幣収納部）の記憶部から特定情報を読取可能な読取装置を管理室に設けることで、当該紙葉収納装置のメンテナンスの要否を判断する作業、および、当該紙葉収納装置のメンテナンスの双方を管理室ですることができる。
【発明の効果】
【０００８】
本発明によれば、還流式紙葉収納装置のメンテナンスの要否を判断する作業、および、当該還流式紙葉収納装置のメンテナンスの双方を同じ場所ですることができる。
【図面の簡単な説明】
【０００９】
【図１】紙幣処理装置および紙幣収納部の外観斜視図である。
【図２】紙幣処理装置における入金動作を説明するための図である。
【図３】紙幣処理装置における払出動作を説明するための図である。
【図４】紙幣処理装置における回収動作を説明するための図である。
【図５】紙幣処理装置の機能ブロック図である。
【図６】特定情報を説明するための図である。
【図７】紙幣処理装置のメンテナンスの方法の具体例を説明するための図である。
【図８】特定情報を更新するための処理のフローチャートである。
【図９】第２実施形態における紙幣処理装置を説明するための図である。
【図１０】第２実施形態における特定情報を説明するための図である。
【図１１】変形例における順序情報を説明するための図である。
【発明を実施するための形態】
【００１０】
以下、本発明を図面に示した実施の形態により詳細に説明する。
【００１１】
［紙幣処理装置の構成］
図１（ａ）は本発明の一実施形態に係る紙葉収納部を備えた紙幣（紙葉）処理装置の外観斜視図であり、同図（ｂ）は紙幣収納部単体の外観斜視図である。図２（ａ）は紙幣処理装置の縦断面図であり、紙幣収納部への入金時の紙幣の流れを矢印で示している。図２（ｂ）は紙幣収納部単体の縦断面図である。図３は紙幣処理装置の縦断面図であり、紙幣収納部からの払出し時の紙幣の流れを矢印で示している。図４は紙幣処理装置の縦断面図であり、回収庫への入金時の紙幣の流れを矢印で示している。
【００１２】
なお、本実施形態では紙葉の一例としての紙幣を処理する装置について説明するが、本発明の紙葉収納部、及び紙葉処理装置は紙幣以外にも金券、チケット、有価証券等々の紙葉一般の処理装置にも適用することができる。
【００１３】
図１に示した還流式紙幣処理装置（以下、紙幣処理装置、という）１は、例えば自動販売機、券売機、遊技場の遊技媒体貸出機、入出金装置、両替機等の紙幣取扱装置に装備、或いは併設されて紙幣の受け入れ、釣銭等としての紙幣の払出し処理を行う手段である。
【００１４】
紙幣処理装置１は、外装体を構成する筐体３と、筐体内に入金された紙幣を所要のルートで機内搬送したり、機外に排出する入出金処理ユニット（紙幣導入部）Ｍと、入出金処理ユニットＭから搬送されてきた紙幣を収納したり入出金処理ユニットＭとの間で紙幣の授受を行う紙幣収納ユニットＮと、種々のルートを経て紙幣を搬送する搬送機構と、各種制御対象を制御する制御ユニット（ＣＰＵ、ＭＰＵ、ＲＯＭ、ＲＡＭ、メインメモリ等）１０００と、から概略構成されている。
【００１５】
入出金処理ユニットMは、下部ユニットMLと、下部ユニットMLに対して右側に設けた軸を中心として開閉自在に支持された上部ユニットMUとを備え、図１に示した各ユニットが閉じた状態にある時に各ユニットの対向面間に入金紙幣搬送路（搬送経路）１０が形成される。
【００１６】
搬送経路１０の一端には紙幣Ｐを一枚ずつ内部に導入したり内部の紙幣を一枚ずつ外部に排出する入出金口５が設けられ、入出金口５の内部には搬送経路１０に沿って図示しない紙幣検知用の入口通紙センサ、入口ローラ対、紙幣の金種、真贋を識別するための情報を読取る光識別センサ１８、図示しない中継ローラ対、不正防止機構の入口側の通紙センサ、不正検知用の開閉部材、不正防止用モータ等から成る不正防止機構２０、不正防止機構の出口２４側の通紙センサ２２が配置されている。更に、紙幣搬送用の各ローラ対を駆動する搬送モータ３０と、光識別センサ１８からの識別情報に基づいて紙幣の金種、真贋を判定したり、各通紙センサ、出口センサからの紙幣検知信号に基づいて搬送モータ３０、その他の制御対象を制御する制御ユニット（ＣＰＵ、ＭＰＵ、ＲＯＭ、ＲＡＭ）１０００が配置されている。
【００１７】
出口２４から排出された紙幣は紙幣収納ユニットNに移送されて、金種等の違いに応じて各収納部に仕分けて収納される。
なお、紙幣処理装置１の上記構成は一例に過ぎず、種々の変形が可能である。例えば、使用するモータ数、搬送ローラ対の配置、識別センサの種類等々、種々変更選定可能である。
各搬送ローラ対は、下部ユニットＭＬ側に配置された駆動ローラと上部ユニットＭＵ側に配置された従動ローラとにより構成され、紙幣の両面側をニップして搬送する構成を備える。光識別センサ１８は搬送経路１０を間に挟んで対向配置された発光素子と受光素子により構成され、発光素子から生じた赤外線を紙幣を透過させた後、受光素子により受光して紙幣の光学的パターン（光学的特徴）を認識することができるホトカプラである。なお、識別センサとしては磁気センサを用いることもできる。
【００１８】
紙幣収納ユニットＮは、入金紙幣の受入れが確定した際に入出金処理ユニットMの出口２４から一枚ずつ排出されて収納紙幣搬送経路３２ａ、３２ｂ上を搬送されてきた紙幣を金種毎に出入れ自在に収容する第１及び第２紙幣収納部（還流式紙幣収納装置）４０、６０と、第２紙幣収納部６０の下方に設けられた収容空間内に正面側から着脱自在に装着され、終業時等に回収紙幣搬送経路３２ｃを介して各紙幣収納部から全金種を回収したり、釣銭として利用されない高額紙幣や各紙幣収納部に収容し切れない余剰紙幣を回収する回収庫（回収紙幣収納部）８０と、を備える。
何れの収納部４０、６０、８０も、紙幣処理装置１に設けた各収納空所に対して正面側から着脱可能に構成されている。
【００１９】
搬送機構は、各搬送経路１０、３２ａ、３２ｂ、３２ｃ、その他の搬送経路に沿って紙幣を搬送する駆動力を生成、伝達するためのモータ、ソレノイド、及びプーリ、ベルト、ゲート等を備える。
制御ユニット１０００は、入出金処理ユニットＭ、紙幣収納ユニットＮ、及び搬送機構等の制御対象を制御する。
なお、入出金口５による紙幣の最大取扱枚数は一例に過ぎず、複数枚一括投入された紙幣を一枚ずつに分離して搬送経路１０に取り込む構成としてもよい。
【００２０】
本例の第１及び第２紙幣収納部４０、６０は、夫々最大収納枚数３０枚の正逆回転可能な還流ドラムを二個ずつ（４１、４５、６１、６５）備えている。各還流ドラム４１、４５、６１、６５は、それらの外周面に二本ずつ渦巻き状（螺旋状）に重ねて巻き付けられる長尺テープ（長尺フィルム）Ｔ１−Ｔ２間、Ｔ３−Ｔ４間、Ｔ５−Ｔ６間、Ｔ７−Ｔ８間に夫々紙幣を挟んで収納する還流に適したタイプである。本例では、各還流ドラムには一つずつモータが配置されており、各モータにより各還流ドラム（或いは、後述するボビン）を正逆回転させることにより各還流ドラムの外周に各テープＴ１〜Ｔ８を巻き付けたり送り出す作業が実施される。
【００２１】
本例では、各還流ドラム４１、４５、６１、６５は、夫々正逆回転可能な２つのボビン４２ａ、４２ｂ、ボビン４６ａ、４６ｂ、ボビン６２ａ、６２ｂ、ボビン６６ａ、６６ｂに対して、一対二の対応関係にある。各ボビン（対）は対応する各一つの還流ドラムが巻取り方向に回転する際には送り出し方向へ回転し、各還流ドラムが送り出し方向へ回転する際には各ボビンは巻取り方向へ回転するように構成されている。還流ドラムを巻取り方向へ回転させる際にはモータを正転駆動して還流ドラムを駆動する。また、還流ドラム外周の紙幣を送り出す場合には、還流ドラム用のモータからの逆転駆動力を図示しない切替え機構を用いて対応するボビンに切り替えて伝達させることによりボビンを巻取り方向へ回転させることができる。
【００２２】
第１紙幣収納部４０では、ボビン４２ａから送り出されたテープＴ１はローラ４３ａ、４３ｂを経てドラム４１の外周に案内される。ボビン４２ｂから送り出されたテープＴ２はローラ４４ａ、４４ｂを経てドラム４１の外周に案内される。各テープＴ１、Ｔ２は、ドラム４１の手前において重なって同方向に走行する接触走行領域を形成し、この接触走行領域内に導かれた紙幣は各テープ間に挟まれつつドラム４１の外周に案内される。
【００２３】
ボビン４６ａから送り出されたテープＴ３はローラ４７ａ、４７ｂを経てドラム４５の外周に案内される。ボビン４６ｂから送り出されたテープＴ４はローラ４８ａ、４８ｂを経てドラム４５の外周に案内される。各テープＴ３、Ｔ４は、ドラム４５の手前において接触走行領域を形成し、この接触走行領域内に導かれた紙幣は各テープ間に挟まれつつドラム４５の外周に案内される。
【００２４】
第２紙幣収納部６０では、ボビン６２ａから送り出されたテープＴ５はローラ６３ａ、６３ｂを経てドラム６１の外周に案内される。ボビン６２ｂから送り出されたテープＴ６はローラ６４ａ、６４ｂを経てドラム６１の外周に案内される。各テープＴ５、Ｔ６は、ドラム６１の手前において接触走行領域を形成し、この接触走行領域内に導かれた紙幣は各テープ間に挟まれつつドラム６１の外周に案内される。
【００２５】
ボビン６６ａから送り出されたテープＴ７はローラ６７ａ、６７ｂを経てドラム６５の外周に案内される。ボビン６６ｂから送り出されたテープＴ８はローラ６８ａ、６８ｂを経てドラム６５の外周に案内される。各テープＴ７、Ｔ８は、ドラム６５の手前において接触走行領域を形成し、この接触走行領域内に導かれた紙幣は各テープ間に挟まれつつドラム６５の外周に案内される。
【００２６】
一例として、還流ドラム４１の外周に紙幣を導入する手順について説明する。紙幣導入時にはボビン４２ａ、４２ｂの外周には夫々テープＴ１、Ｔ２が渦巻き状に（多層状に）巻付け保持された状態にあり、モータの正転駆動により還流ドラム４１が巻取り方向へ回転することにより各ボビン４２ａ、４２ｂが送り出し方向へ回転する。搬送経路３２ａから搬送経路３２ｂを経て第１紙幣収納部４０の入口４０ａに導入されてきた紙幣は、図示しないフラップ（振り分け手段）によりローラ４３ｂ、４４ｂ側に搬送方向を切り替えられることにより、両ローラ４３ｂ、４４ｂ（テープＴ１、Ｔ２）間に入り込み、両テープＴ１、Ｔ２の接触走行領域内に入り込んで還流ドラム４１の外周に導かれる。逆に、還流ドラム４１の外周に集積された紙幣を第１紙幣収納部４０外へ排出する場合には、モータを逆転させてボビン４２ａ、４２ｂを巻取り方向へ回転させ、且つ還流ドラム４１を送り出し方向へ回転させることにより、両テープＴ１、Ｔ２の接触走行領域を経て紙幣を入口４０ａから搬送経路３２ａ、３２ｂを経て入出金処理ユニットＭへ、或いは搬送経路３２ｃを経て回収庫（回収紙幣収納部）８０へ向けて搬送する。
なお、他の還流ドラム４５、６１、６５と、対応する各ボビン４６ａ、４６ｂ、ボビン６２ａ、６２ｂ、ボビン６６ａ、６６ｂとの関係は、還流ドラム４１とボビン４２ａ、４２ｂとの関係と同等であるため重複した手順の説明は省略する。
【００２７】
回収庫（回収紙幣収納部）８０は、ケーシング８１内において昇降自在に支持されて上面に紙幣を積載する紙幣積載台８２と、紙幣積載台を上方に常時付勢するバネ８３と、下側の走行面で紙幣積載台８２（既積載紙幣）の上面と接触しつつ入口８６から搬送されてきた紙幣を紙幣積載台上に移送する移送ベルト８５と、移送ベルト下面により紙幣積載台上に移送されてきた紙幣を紙幣積載台上に押し込む図示しない昇降アームなどを有する。
【００２８】
各搬送経路３２ａ、３２ｂ、３２ｃの適所、及び各紙幣収納部４０、６０には紙幣の通過を検知するセンサが配置されており、図中黒塗りの三角形の発光センサと、黒塗りの四角形の受光センサとして示されている。
各紙幣収納部４０、６０内に配置されたテープフルエンプティーセンサは発光素子と受光素子間を通過するテープに記載されたマークが示す情報、本例ではテープのフル状態、及びエンプティー状態を読取る手段である。
【００２９】
［紙幣処理装置の各種動作］
次に、図１に示した紙幣処理装置１における入金動作、出金動作、及び回収動作の概要について図２乃至図４により説明する。
【００３０】
即ち、図２、図３、及び図４は紙幣処理装置の入金動作、同出金動作、及び回収動作を示す説明図である。
まず、図２の入金動作では、入出金口５から一枚の紙幣が投入されると紙幣を検知したセンサからの信号を受けた制御ユニット１０００が搬送機構を作動させて搬送経路１０を用いて紙幣を取込む。取り込まれた紙幣は光識別センサ１８に移動されて識別を受ける。光識別センサ１８により受入れ可能と判定された紙幣は不正防止機構２０を経て出口２４から紙幣収納ユニットＮへ搬送される。
【００３１】
また、入金動作において、光識別センサ１８により紙幣が受入れ不可能と判定された場合、リジェクト動作が実行される。リジェクト動作では、紙幣処理装置１（第１紙幣収納部４０および第２紙幣収納部６０を含む）における各ドラムが駆動され、受入れ不可能と判定された紙幣が入出金口５まで搬送され、紙幣処理装置１の外部へ当該紙幣が排出される。
【００３２】
紙幣収納ユニットＮ内では、釣銭として利用する紙幣は収納紙幣搬送経路３２ａ、３２ｂを経由して金種別に何れかの紙幣収納部４０、６０に収納し、釣銭として利用しない紙幣は搬送経路３２ｂ、３２ｃを経て回収庫８０に収納する。
【００３３】
図３の出金動作では、釣銭として紙幣を払い出す際に紙幣収納部４０、６０に収納された紙幣を取り出して返却可能な紙幣であれば釣銭として入出金口５から払出す。図４の回収動作では、終業時等に紙幣収納部（還流式紙幣収納装置）４０、６０に収納されていた紙幣を搬送経路３２ｂ、３２ｃを経て回収庫８０に収納する。
【００３４】
［メモリを備えた紙幣収納部］
上述の図２（ｂ）に示す通り、第１紙幣収納部４０および第２紙幣収納部６０（以下「紙幣収納部」と総称する場合がある）には、上述のテープフルエンプティーセンサ１００（ａ、ｂ、ｃ、ｄ）に加え、搬送経路の特定の位置を通過する紙幣を検知する各種のセンサ１０１（ａ、ｂ、ｃ、ｄ、ｅ、ｆ）が設けられる。
【００３５】
紙幣収納部の各々には、図２（ｂ）に示す通り、メモリ基板２００が設けられる。メモリ基板２００は、メモリ基板２００ｘおよびメモリ基板２００ｙを含む。メモリ基板２００ｘが第１紙幣収納部４０に設けられ、メモリ基板２００ｙが第２紙幣収納部６０に設けられる。また、メモリ基板２００には、個別メモリ２０１およびコネクタ２０２が実装される。入出金処理ユニットＭからの紙幣を紙幣収納部に搬送可能な状態（紙幣収納部が装着された状態）で、当該紙幣収納部のコネクタ２０２は、後述のコネクタ３０５（図５参照）に挿入され、入出金処理ユニットＭの制御ユニット１０００と電気的に接続される。
【００３６】
個別メモリ２０１は、各種の情報（後述の特定情報Ｊ）を不揮発的に記憶する。紙幣収納部の個別メモリ２０１の各種の情報は、例えば、当該紙幣収納部のメンテナンスの要否を判断する場合に、管理者により参照される。個別メモリ２０１としては、例えばフラッシュメモリが好適に採用される。制御ユニット１０００は、各種の契機で、個別メモリ２０１が記憶する情報を更新させる。なお、メモリ基板２００に設ける個別メモリ２０１としてフラッシュメモリを例示したが、他の記憶手段を個別メモリ２０１として採用してもよい。例えば、ＥＥＰＲＯＭを個別メモリ２０１として採用してもよい。
【００３７】
図５（ａ）は、本実施形態の紙幣処理装置１の機能ブロック図である。上述した通り、紙幣処理装置１は、制御ユニット１０００および紙幣収納部（４０、６０）を含んで構成される。また、紙幣処理装置１は、図５（ａ）に示す通り、コネクタ３０５（ｘ、ｙ）を含んで構成される。
【００３８】
図５（ａ）に示す通り、紙幣収納部の各々は、メモリ基板２００（ｘ、ｙ）、ドラム（４１、４５、６１、６５）およびテープフルエンプティーセンサ１００（ａ〜ｄ）を含んで構成される。メモリ基板２００には、上述した通り、個別メモリ２０１（ｘ、ｙ）およびコネクタ２０２（ｘ、ｙ）が設けられる。
【００３９】
第１紙幣収納部４０が紙幣処理装置１に装着された場合、第１紙幣収納部４０のコネクタ２０２ｘが上述したコネクタ３０５ｘに接続する。以上の場合、制御ユニット１０００および第１紙幣収納部４０（メモリ基板２００ｘ）が電気的に接続される。また、第２紙幣収納部６０が紙幣処理装置１に装着された場合、第２紙幣収納部６０のコネクタ２０２ｙがコネクタ３０５ｙに接続する。以上の場合、制御ユニット１０００および第２紙幣収納部６０が電気的に接続される。
【００４０】
第１紙幣収納部４０の個別メモリ２０１ｘは、特定情報Ｊａを記憶する（後述の図６参照）。詳細には後述するが、特定情報Ｊａは、第１紙幣収納部４０における紙幣の収納または送出に応じて更新される。例えば、第１紙幣収納部４０をメンテナンスする時期を決定する場合、管理者により特定情報Ｊａが参照される。また、第２紙幣収納部６０の個別メモリ２０１ｙは、特定情報Ｊｂを記憶する。特定情報Ｊｂは、第２紙幣収納部６０における紙幣の収納または送出に応じて更新される。例えば、第２紙幣収納部６０をメンテナンスする時期を決定する場合、管理者により特定情報Ｊｂが参照される。
【００４１】
制御ユニット１０００は、ＣＰＵ３０１、ＲＯＭ３０２、ＲＡＭ３０３およびメインメモリ３０４を含んで構成される。ＲＯＭ３０２は、各種の情報を不揮発的に記憶する。例えば、ＲＯＭ３０２は、プログラムを含む各種の情報を記憶する。ＣＰＵ３０１は、ＲＯＭ３０２が記憶するプログラムを実行する。ＲＡＭ３０３は、各種の情報を一時的に記憶可能である。例えば、ＲＡＭ３０３は、ＣＰＵ３０１がプログラムを実行した場合に生成された各種の情報を記憶する。ＣＰＵ３０１がプログラムを実行することで、上述の入金動作、出金動作、リジェクト動作および回収動作が実行される。
【００４２】
具体的には、制御ユニット１０００のＣＰＵ３０１により入金動作、出金動作、リジェクト動作または回収動作が実行される場合、制御ユニット１０００から、各ドラム（４１、４５、６１、６５）を駆動するための駆動信号が紙幣収納部の各々へ出力される。以上の駆動信号には、駆動すべきドラムの種類および回転方向を特定可能な情報が含まれる。紙幣収納部の各ドラムは、駆動信号が入力される期間において駆動（回転）される。また、制御ユニット１０００は、予め定められた契機で駆動信号の出力を停止する。駆動信号の入力が停止した場合、紙幣収納部の各ドラムの駆動が停止される。メインメモリ３０４は、各種の情報を不揮発的に記憶する。
【００４３】
図５（ｂ）は、紙幣収納部の個別メモリ２０１（ｘ、ｙ）および制御ユニット１０００のメインメモリ３０４が記憶する情報を説明するための図である。メインメモリ３０４は、紙幣収納部の個別メモリ２０１が記憶する各種の情報を記憶する。具体的には、メインメモリ３０４は、第１紙幣収納部４０の個別メモリ２０１ｘが記憶する特定情報Ｊａおよび第２紙幣収納部６０の個別メモリ２０１ｙが記憶する特定情報Ｊｂの双方を記憶する。
【００４４】
メインメモリ３０４としては、例えばフラッシュメモリが好適に採用される。なお、メインメモリ３０４として、フラッシュメモリを例示したが、他の記憶手段をメインメモリ３０４として採用してもよい。例えば、ＥＥＰＲＯＭをメインメモリ３０４として採用してもよい。
【００４５】
図６（ａ）は、第１紙幣収納部４０の個別メモリ２０１ｘに記憶される特定情報Ｊａを説明するための図である。図６（ａ）には、特定情報Ｊａに含まれる各情報の名称および具体的な内容が示される。
【００４６】
図６（ａ）に示す通り、特定情報Ｊａは、機種情報、ユニットＩＤ、ソフトバージョン、設定金種、上限枚数、保有枚数、モータ速度、駆動回数、リジェクト回数、基準光量、計測光量およびエラー情報を含む。また、以上の各情報のうち、設定金種、上限枚数、保有枚数、モータ速度および駆動回数は、第１紙幣収納部４０のドラム（４１、４５）毎に設けられる。
【００４７】
特定情報Ｊａの機種情報は、第１紙幣収納部４０が接続される紙幣処理装置１の機種名を示す。また、ユニットＩＤは、紙幣収納部で固有の数値である。ソフトバージョンは、紙幣処理装置１の制御ユニット１０００のプログラムのバージョンを示す。特定情報Ｊａの設定金種は、ドラム４１に収納される金種およびドラム４５に収納される金種を特定可能な情報である。本実施形態では、ドラム４１に金種Ａが収納され、ドラム４５に金種Ｂが収納される場合を想定する。
【００４８】
特定情報Ｊａの上限枚数は、ドラム４１に収納可能な紙幣の最大枚数およびドラム４５に収納可能な紙幣の最大枚数を示す。本実施形態では、ドラム４１に最大で３０枚の紙幣を収納可能であり、ドラム４５に最大で３０枚の紙幣を収納可能である。保有枚数は、ドラム４１に収納されている紙幣の枚数（現在値）およびドラム４５に収納されている紙幣の枚数を示す。管理者は、上限枚数および収納枚数から、ドラムに補充可能な紙幣の枚数を把握できる。
【００４９】
モータ速度は、ドラム４１を駆動するモータの回転速度およびドラム４５を駆動するモータの回転速度を示す。具体的には、モータ速度は、ドラムを駆動するモータが一回転するのに要する時間長を示す。例えば、特定情報Ｊａのモータ速度が基準となるモータ速度より遅くなった場合、モータのメンテナンス（取り換え作業）を要する旨が把握できる。駆動回数は、ドラム４１の駆動回数およびドラム４５の回転数を示す。例えば、特定情報Ｊａの駆動回数が基準となる回転数に達した場合、モータのメンテナンスを要する旨が把握できる。リジェクト回数は、上述のリジェクト動作が実行された回数を示す。
【００５０】
仮に、入金動作により紙幣が紙幣収納部に収納された場合を想定する。以上の場合、当該紙幣収納部のドラムに新たに紙幣が収納されるため、上述の保有枚数が加算される。また、以上の場合、当該紙幣収納部のドラムが駆動されるため、駆動回数が加算される。すなわち、入金動作により紙幣が紙幣収納部に収納された場合、特定情報Ｊのうち保有枚数および駆動回数の双方が加算される。また、リジェクト動作が実行された場合を想定する。以上の場合、上述のリジェクト回数が加算される。また、リジェクト動作が実行された場合であって、紙幣収納部のドラムが駆動された場合、当該ドラムに対応する駆動回数が加算される。
【００５１】
基準光量は、テープフルエンプティーセンサ１００ａの基準光量およびテープフルエンプティーセンサ１００ｂの基準光量を含む。上述した通り、テープフルエンプティーセンサ１００は、テープを介して対向する発光素子および受光素子で構成される。例えば、テープの巻取り位置が特定の位置の場合、テープフルエンプティーセンサ１００の発光素子からの光が受光素子で検知される。一方、当該テープの巻取り位置が他の位置の場合、テープフルエンプティーセンサ１００の発光素子からの光が受光素子で検知されない。以下において、説明のため、発光素子からの光が受光素子で検知される状態を「ＯＮ状態」という。また、発光素子からの光が受光素子で検知されない状態を「ＯＦＦ状態」という。
【００５２】
テープフルエンプティーセンサ１００の基準光量は、紙幣処理装置１（紙幣収納部）が製造された時点において、センサ１００がＯＮ状態の場合に受光素子で検知される光量を示す。具体的には、テープフルエンプティーセンサ１００では、受光素子で検知された光量に応じた大きさの電流が生成される。紙幣処理装置１が製造された時点における当該電流の大きさが基準光量として記憶される。
【００５３】
計測光量は、テープフルエンプティーセンサ１００ａの計測光量およびテープフルエンプティーセンサ１００ｂの計測光量を含む。テープフルエンプティーセンサ１００の計測光量は、当該テープフルエンプティーセンサ１００がＯＮ状態の場合に受光素子で検知される光量の現在値を示す。すなわち、上述の基準光量は、計測光量の初期値とも換言される。例えば、制御ユニット１０００は特定の契機において、テープフルエンプティーセンサ１００の受光素子で生成された電流の大きさを計測光量として記憶する。
【００５４】
なお、計測光量が記憶される特定の契機は、適宜に設定できる。ただし、テープフルエンプティーセンサ１００がＯＦＦ状態の場合は受光素子で受光されない。したがって、計測光量が記憶される特定の契機は、テープフルエンプティーセンサ１００がＯＮ状態である必要がある。例えば、計測光量は、テープを巻き取るモータ（４１、４５）が停止し、且つ、テープフルエンプティーセンサ１００がＯＮ状態であることが検知された場合に計測される構成が好適である。
【００５５】
テープフルエンプティーセンサ１００の受光素子で検知される光量は経時的に減少する。例えば、発光素子が経時劣化した場合、発光素子からの光量が減少し、受光素子で検知される光量が減少する。また、発光素子または受光素子に汚れが蓄積した場合、受光素子で検知される光量が減少する。以上の場合、テープフルエンプティーセンサ１００のメンテナンスが必要になる。
【００５６】
本実施形態では、基準光量および計測光量が特定情報Ｊとして記憶される。したがって、基準光量および計測光量を比較することで、受光素子で検知された光量の減少量が把握できる。以上の構成によれば、例えば、光量の減少量が所定の閾値に達した場合、テープフルエンプティーセンサ１００のメンテナンスが必要であると判断できる。
【００５７】
特定情報Ｊａのエラー情報は、第１紙幣収納部４０においてエラーが検知された回数を示す。上述した通り、第１紙幣収納部４０には、搬送経路を通過する紙幣を検知するセンサ１０１（ａ〜ｃ）が設けられる。以上のセンサ１０１が予め定められた時間長に亘りＯＦＦ状態から変化しない場合、搬送経路で紙幣が詰まっている可能性が高い。例えば、制御ユニット１０００は、第１紙幣収納部４０のセンサ１０１が予め定められた時間長に亘りＯＦＦ状態の場合、当該第１紙幣収納部４０の内部で紙幣詰りのエラーが生じたと判断する。エラーが生じたと判断された場合、エラー情報が加算される。
【００５８】
なお、紙幣収納部において、紙幣詰り以外のエラーを含む複数のエラーを検知可能な構成としてもよい。また、各エラーの各々に対応する複数のエラー情報が記憶される構成としてもよい。以上の構成では、発生したエラーの種類に対応するエラー情報が加算される。したがって、エラーの種類毎に発生回数を把握可能になる。
【００５９】
図６（ｂ）は、第２紙幣収納部６０の個別メモリ２０１ｙに記憶される特定情報Ｊｂを説明するための図である。図６（ｂ）には、特定情報Ｊｂに含まれる各情報の名称および具体的な内容が示される。上述した通り、第１紙幣収納部４０の個別メモリ２０１ｘに記憶される特定情報Ｊａの設定金種は、第１紙幣収納部４０のドラム４１およびドラム４５に収納される金種を示す。一方、第２紙幣収納部６０の個別メモリ２０１ｙに記憶される特定情報Ｊｂの設定金種は、第２紙幣収納部６０のドラム６１およびドラム６５に収納される金種を示す。
【００６０】
第２紙幣収納部６０の個別メモリ２０１ｙに記憶される特定情報Ｊｂの上限枚数は、ドラム６１およびドラム６５に収納可能な紙幣の最大枚数を示す。また、特定情報Ｊｂの保有枚数は、ドラム６１およびドラム６５に収納されている紙幣の枚数を示し、特定情報Ｊｂのモータ速度は、ドラム６１を駆動するモータおよびドラム６５を駆動するモータの回転速度を示す。同様に、特定情報Ｊｂの駆動回数は、ドラム６１およびドラム６５の回転数を示す。
【００６１】
第２紙幣収納部６０の個別メモリ２０１ｙに記憶される特定情報Ｊｂの基準光量は、紙幣処理装置１の出荷時におけるテープフルエンプティーセンサ１００ｃおよびテープフルエンプティーセンサ１００ｄの受光素子で検知される光量を示す。また、特定情報Ｊｂの計測光量は、テープフルエンプティーセンサ１００ｃおよびテープフルエンプティーセンサ１００ｄの受光素子で検知された光量の現在値を示す。特定情報Ｊｂの計測光量は、上述の特定情報Ｊａの計測光量と共通の契機で計測される。特定情報Ｊｂのエラー情報は、第２紙幣収納部６０でエラーが発生した回数を示す。
【００６２】
ところで、紙幣収納部の各ドラム（４１、４５、６１、６５）のうち、当該ドラムの金種によっては、他のドラムより駆動回数が少なくなり易い場合がある。また、当該ドラムの金種によっては、他のドラムより駆動回数が多くなり易い場合がある。すなわち、メンテナンスが必要となる駆動回数に達する時期は、各ドラムに応じて相違する傾向にある。例えば、図６の例では、第１紙幣収納部４０のドラム４５は、第２紙幣収納部６０のドラム６５と比較して、メンテナンスが必要となる駆動回数に達する時期が早い傾向にある。
【００６３】
以上の事情を考慮して、本実施形態では、紙幣収納部６０の各ドラムのメンテナンスの要否を判断するための情報（モータ速度、駆動回数）をドラム毎に別々に記憶した。以上の構成によれば、メンテナンスの要否がドラム毎に判断でき、メンテナンスを要するドラムのみに対してメンテナンスをすることができる。以上の構成によれば、例えば、メンテナンスの要否がドラム毎に把握できない構成と比較して、メンテナンスが不要なドラムに対するメンテナンスが省略でき、メンテナンスに要する作業時間が短縮できるという利点がある。また、メンテナンスに要するコストが削減されるという利点がある。
【００６４】
図７は、紙幣処理装置１（紙幣収納部４０、６０）のメンテナンス方法の具体例を説明するための図である。図７に示す通り、当該具体例では、カジノのフロアＦに紙幣処理装置１が複数台設置される。以上の紙幣処理装置１は、例えばカジノマシンの遊技者が両替のために使用する。
【００６５】
図７に示す通り、管理室Ｋには、情報読取装置７００、管理用コンピュータ７０１および管理用モニタ７０２が設置される。管理室Ｋには、紙幣処理装置１の管理者Ｍが入室可能であり、遊技者は原則入室できない。管理者Ｍは、紙幣処理装置１の紙幣収納部（ドラム、センサ）のメンテナンスをする。また、管理者Ｍは、紙幣収納部への紙幣の補充作業をする。上述した通り、紙幣処理装置１の紙幣収納部（４０、６０）は着脱可能に設けられる。管理者Ｍは、紙幣収納部のメンテナンスまたは紙幣の補充をする場合、当該紙幣収納部を紙幣処理装置１から取り外し、フロアＦから管理室Ｋへ移動させる（図７の（Ａ）の矢印）。
【００６６】
本実施形態の情報読取装置７００は、紙幣処理装置１から取り外された紙幣収納部が接続可能である。具体的には、情報読取装置７００は、紙幣収納部のコネクタ２０２（ｘ、ｙ）を挿入可能なコネクタを具備する。情報読取装置７００のコネクタに紙幣収納部のコネクタ２０２が挿入された場合、当該紙幣収納部のメモリ基板２００（個別メモリ２０１）と情報読取装置７００とが電気的に接続される。以上の場合、紙幣収納部の個別メモリ２０１の特定情報Ｊ（ａ、ｂ）が情報読取装置７００により読取られる。
【００６７】
情報読取装置７００から読取られた特定情報Ｊは、管理用コンピュータ７０１に入力される。管理用コンピュータ７０１は、特定情報Ｊが入力された場合、当該特定情報Ｊを表示する画像を管理用モニタ７０２に表示させる。管理者Ｍは、管理用モニタ７０２に表示された特定情報Ｊを確認し、メンテナンスの要否を判断する。
【００６８】
例えば、紙幣収納部のドラムの駆動回数（上述の図６参照）が所定の閾値を超えている場合、当該ドラムを新品のドラムに取り換える。なお、以上の場合、ドラムの駆動回数を初期化できる構成としてもよい。例えば、管理用コンピュータ７０１に接続された操作部（キーボード等）を操作することで、情報読取装置７００に接続された紙幣収納部の特定情報Ｊの各情報を変更可能な構成が考えられる。以上の構成では、新品のドラムに替えた場合、駆動回数を数値「０」に変更できる。
【００６９】
紙幣収納部に紙幣を補充する場合、管理用コンピュータ７０１の操作部を適宜に操作して、当該紙幣収納部の特定情報Ｊの保有枚数を変更する。例えば、紙幣収納部に紙幣を補充する前において、個別メモリ２０１が記憶する特定情報Ｊの保有枚数がＮ枚（Ｎは正の整数）の場合を想定する。以上の場合であって、当該紙幣収納部にＭ枚（Ｍは正の整数）の紙幣を補充する場合、特定情報Ｊの保有枚数をＮ＋Ｍ枚に変更する。図７に示す通り、紙幣収納部に紙幣を補充した後に、当該紙幣収納部をフロアＦに移動させる（図７の（Ｂ）の矢印）。
【００７０】
ところで、紙幣収納部が紙幣処理装置１から取り外せない構成（以下「対比例」）を想定する。以上の対比例では、管理者Ｍは、紙幣処理装置１が設置されたフロアＦにおいて、紙幣の補充作業をする必要がある。しかし、フロアＦは管理者Ｍ以外の者（例えば遊技者）が往来する。したがって、フロアＦで紙幣の補充作業をしなければならない対比例では防犯上の問題がある。
【００７１】
以上の事情を考慮して、本実施形態では、紙幣処理装置１から紙幣収納部を取り外し可能にした。以上の構成によれば、管理室Ｋで紙幣の補充作業ができるため、上述のセキュリティ上の問題が抑制される。また、以上の構成では、紙幣収納部のメンテナンスの要否を判断する作業、および、当該紙幣収納部のメンテナンスの双方を管理室ですることができる。したがって、紙幣収納部のメンテナンスの要否を判断した直後に、当該紙幣収納部のメンテナンスが開始できるという利点がある。
【００７２】
図８（ａ）から図８（ｆ）は、制御ユニット１０００のＣＰＵ３０１が実行する各種の処理（保有枚数更新処理など）のフローチャートである。以上の各処理により、特定情報Ｊの各情報（保有枚数など）が更新される。
【００７３】
図８（ａ）は、保有枚数更新処理のフローチャートである。保有枚数更新処理は、特定情報Ｊの保有枚数を更新するための処理である（図６参照）。ＣＰＵ３０１は、保有枚数更新処理を開始すると、各ドラムに紙幣が新たに収納されたか否かを判定する（Ｓ１０１）。各ドラムに紙幣が新たに収納されていないと判断した場合（Ｓ１０１：ＮＯ）、ＣＰＵ３０１は、後述のステップＳ１０３に処理を進める。一方、紙幣が新たに収納されたと判断した場合（Ｓ１０１：ＹＥＳ）、ＣＰＵ３０１は、紙幣が新たに収納されたドラムの保有枚数を加算し（Ｓ１０２）、ステップＳ１０３に処理を進める。ステップＳ１０３では、各ドラムから紙幣が排出されたか否かを判定する。各ドラムから紙幣が排出されていないと判断した場合（Ｓ１０３：ＮＯ）、ＣＰＵ３０１は、保有枚数更新処理を終了する。一方、紙幣が排出されたと判断した場合（Ｓ１０３：ＹＥＳ）、ＣＰＵ３０１は、紙幣を排出したドラムの保有枚数を減算した後に（Ｓ１０４）、保有枚数更新処理を終了する。
【００７４】
図８（ｂ）は、モータ速度更新処理のフローチャートである。モータ速度更新処理は、特定情報Ｊのモータ速度を更新するための処理である。モータ速度更新処理を開始すると、ＣＰＵ３０１は、各ドラムを駆動するモータの何れかが１回転したか否かを判定する（Ｓ２０１）。モータが１回転していないと判断した場合（Ｓ２０１：ＮＯ）、ＣＰＵ３０１はモータ速度更新処理を終了する。一方、モータが１回転したと判断した場合（Ｓ２０１：ＹＥＳ）、当該モータのモータ速度を更新する（Ｓ２０２）。具体的には、当該モータが１回転するまでに今回要した時間長を、最新のモータ速度として記憶する。モータ速度を更新した後に、ＣＰＵ３０１は、モータ速度更新処理を終了する。
【００７５】
図８（ｃ）は、駆動回数更新処理のフローチャートである。駆動回数更新処理は、特定情報Ｊの駆動回数を更新するための処理である。駆動回数更新処理を開始すると、ＣＰＵ３０１は、各ドラムの何れかが１回転したか否かを判定する（Ｓ３０１）。ドラムが１回転していないと判断した場合（Ｓ３０１：ＮＯ）、ＣＰＵ３０１は駆動回数更新処理を終了する。一方、ドラムが１回転したと判断した場合（Ｓ３０１：ＹＥＳ）、ＣＰＵ３０１は当該ドラムの駆動回数を加算する（Ｓ３０２）。駆動回数を加算した後に、ＣＰＵ３０１は、駆動回数更新処理を終了する。
【００７６】
図８（ｄ）は、リジェクト回数更新処理のフローチャートである。リジェクト回数更新処理は、特定情報Ｊのリジェクト回数を更新するための処理である。リジェクト回数更新処理を開始すると、ＣＰＵ３０１は、リジェクト動作が実行されたか否かを判定する（Ｓ４０１）。リジェクト動作が実行されていないと判断した場合（Ｓ４０１：ＮＯ）、ＣＰＵ３０１はリジェクト回数更新処理を終了する。一方、リジェクト動作が実行されたと判断した場合（Ｓ４０１：ＹＥＳ）、リジェクト回数を加算する（Ｓ４０２）。リジェクト回数を加算した後に、ＣＰＵ３０１は、リジェクト回数更新処理を終了する。
【００７７】
図８（ｅ）は、計測光量更新処理のフローチャートである。計測光量更新処理は、特定情報Ｊの計測光量を更新するための処理である。計測光量更新処理において、各ドラムが駆動中であるか否かを判定する（Ｓ５０１）。各ドラムが駆動中であると判断した場合（Ｓ５０１：ＹＥＳ）、ＣＰＵ３０１は計測光量更新処理を終了する。一方、各ドラムが駆動中ではないと判断した場合（Ｓ５０１：ＮＯ）、ＣＰＵ３０１は、テープフルエンプティーセンサ１００がＯＮ状態であるか否かを判定する（Ｓ５０２）。テープフルエンプティーセンサ１００がＯＮ状態でないと判断した場合（Ｓ５０１：ＮＯ）、ＣＰＵ３０１は計測光量更新処理を終了する。一方、テープフルエンプティーセンサ１００がＯＮ状態であると判断した場合（Ｓ５０２：ＹＥＳ）、ＣＰＵ３０１は、テープフルエンプティーセンサ１００の受光素子で検知される光量の現在値を計測光量として記憶し（Ｓ５０３）、計測光量更新処理を終了する。
【００７８】
図８（ｆ）は、エラー回数更新処理のフローチャートである。エラー回数更新処理は、特定情報Ｊのエラー回数を更新するための処理である。エラー回数更新処理を開始すると、ＣＰＵ３０１は、エラーが発生したか否かを判定する（Ｓ６０１）。エラーが発生していないと判断した場合（Ｓ６０１：ＮＯ）、ＣＰＵ３０１はエラー回数更新処理を終了する。一方、エラーが発生したと判断した場合（Ｓ６０１：ＹＥＳ）、ＣＰＵ３０１はエラー回数を加算する（Ｓ６０２）。エラー回数を加算した後に、ＣＰＵ３０１は、エラー回数更新処理を終了する。
【００７９】
＜第２実施形態＞
本発明の他の実施形態を以下に説明する。なお、以下に例示する各形態において作用や機能が第１実施形態と同等である要素については、第１実施形態の説明で参照した符号を流用して各々の詳細な説明を適宜に省略する。
【００８０】
図９は本発明に係る紙幣収納装置を備えた紙幣処理装置の他の構成例を説明するための図である。図９は、紙幣処理装置５００を正面視で上下方向に切断した場合の断面図である。
【００８１】
この紙幣処理装置５００は、フレーム５０２ａを有する入出金処理ユニット５０２（Ｍ（ＭＵ、ＭＬ））と、入出金処理ユニットのフレーム５０２ａに対して着脱可能に取り付けられる紙幣収納ユニット５０３（Ｎ）と、フレーム５０２ａに固定されかつ入出金処理ユニット５０２と紙幣収納ユニット５０３との間で紙幣を搬送する主搬送装置５０４と、を備える。
【００８２】
入出金処理ユニット５０２は、紙葉類としての紙幣を入出金処理ユニット５０２内に出入れする入出金口５２０と、入出金処理ユニット５０２から紙幣を排出する出口５２１と、入出金口５２０と出口５２１との間で紙幣を搬送する鑑別搬送通路（入金紙幣搬送経路）５２２ａと、鑑別搬送通路５２２ａに沿って紙幣を搬送する鑑別搬送装置５２２と、入出金処理ユニット５０２内に設けられる図示しない歯車列を介して回収庫５５１に設けられる歯車列を駆動するスタックモータ５２４と、挿入され又は払い出される紙幣を検出する入口センサ５２０ａと、入出金処理ユニット５０２から排出される紙幣を検出する出口センサ５２１ａとを備える。鑑別搬送装置５２２は、搬送モータ５２３と、搬送モータ５２３により回転駆動されて、鑑別搬送通路５２２ａに沿って紙幣を搬送する搬送ベルト５２２ｂと、搬送ベルト５２２ｂが捲回される複数のプーリ５２２ｃと、搬送ベルト５２２ｂに接触して紙幣を搬送する複数のアイドルローラ５２２ｄとを備える。また、搬送モータ５２３は、図示しない歯車列を介して主搬送ベルト５４０を駆動して、主搬送装置５０４内の還流搬送通路５０６に沿って紙幣を移動する。紙幣の光学的特徴又は磁気的特徴を検出する鑑別センサ５１０が鑑別搬送通路５２２ａに沿って設けられる。
【００８３】
入出金処理ユニット５０２の出口５２１は、入出金処理ユニット５０２内に形成される鑑別搬送通路５２２ａ及び主搬送装置５０４内に形成される還流搬送通路５０６に接続される。
紙幣収納ユニット５０３は、第１還流式紙幣収納部５３１及び第２還流式紙幣収納部５３２と、その下方に配置される回収庫５５１を備える。回収庫５５１は、各紙幣収納部５３１、５３２に収納されない金種の紙幣を排出不能に収納する。
【００８４】
本発明の実施の形態では、入出金口５２０から入出金処理ユニット５０２を通り供給される紙幣を収納しかつ入出金処理ユニット５０２を通り収納する紙幣を入出金口５２０に排出する単一又は複数の還流搬送装置５０５と、排出可能に紙幣を収納する還流庫５５０とを紙幣収納ユニット５０３に設け、還流搬送装置５０５に分離可能に駆動接続される還流モータ５７０を主搬送装置５０４に設ける。この場合に、還流モータ５７０を一方向に回転させて、還流搬送装置５０５を駆動することにより、入出金処理ユニット５０２から供給される紙幣を紙幣収納ユニット５０３内に収納する。また、還流モータ５７０を他方向に回転させて還流搬送装置５０５を逆転して、紙幣収納ユニット５０３内に収納された紙幣を入出金口５２０に排出する。
【００８５】
紙幣収納ユニット５０３を入出金処理ユニット５０２に装着すると、還流搬送装置５０５は還流モータ５７０に自動的に駆動接続され、主搬送装置５０４の動作と連動して又は系統的かつ組織的に還流搬送装置５０５を作動することができる。
【００８６】
還流庫５５０は、入出金処理ユニット５０２内に着脱自在に装着されかつ紙幣収納ユニット５０３を形成するケーシング５３０と、ケーシング５３０内の上段に形成される第１還流式紙幣収納部５３１を有する第１の紙幣収納ユニットと、第１還流式紙幣収納部５３１の下方に配置される第２還流式紙幣収納部５３２を有する第２の紙幣収納ユニットとを備える。第１還流式紙幣収納部５３１は、特定種の紙幣を排出可能に収納し、第２還流式紙幣収納部５３２は、第１還流式紙幣収納部５３１の下方に配置されて他種の紙幣を排出可能に収納する。
【００８７】
第１還流式紙幣収納部５３１及び第２還流式紙幣収納部５３２の各々は、還流搬送通路５０６から紙幣を取り込む供給ローラ５３３ａ、５３３ｂと、各紙幣収納部５３１、５３２の各々から還流搬送通路５０６に紙幣を払い出す繰出しローラ５３４ａ、５３４ｂと、図示しないリフターにより昇降駆動される支持板５５７ａ、５５７ｂと、各支持板の下方に配置されて各支持板上から移送されてくる紙幣を支持する底板５５５ａ、５５５ｂと、各支持板の上方に固定配置されて、各支持板が上方に移動するとき支持板上の紙幣と接して収容空間内（底板上）に紙幣を押込む図示しない押込部材とを備える。底板５５５ａ、５５５ｂは、左端部に設けた軸５５５ｃ、５５５ｄにより他部を上下方向へ回動自在に支持されている。支持板５５７ａ、５５７ｂは、図中の奥行き方向（幅方向）中央部に紙幣挿通用の開口部を有し、各支持板の上昇時にこの開口を経由して押込部材が相対的に各支持板の上方から下方へ移動することにより、開口部を経て各支持板上の紙幣を各底板上に移送する。
【００８８】
各紙幣収納部５３１、５３２にそれぞれ設けられる供給ローラ５３３ａ、５３３ｂは、図９に示すように搬送ベルト５４０に接触した状態で供給方向、及び繰出し方向へ正逆回転し、搬送ベルトとの間で紙幣を挟持して搬送する。供給ローラ５３３ａ、５３３ｂと繰出しローラ５３４ａ、５３４ｂは、それぞれ対応する還流モータ５７０ａ、５７０ｂにより駆動される。
【００８９】
紙幣収納ユニット５０３は、入出金処理ユニット５０２から供給される紙幣を第１還流式紙幣収納部５３１、及び、第２還流式紙幣収納部５３２にそれぞれ案内すると共に、各紙幣収納部５３１、５３２から夫々排出される紙幣を入出金処理ユニット５０２に向って案内する開放位置（上端部が右側位置）と、案内を阻止する閉鎖位置（上端部が左側位置）との間で移動可能な上偏向レバー５３８ａ、及び下偏向レバー５３８ｂとを備える。上偏向レバー５３８ａ、及び下偏向レバー５３８ｂは、各ソレノイド２５１、２５２の駆動力により各軸５３８ｃ、５３８ｄを中心として、還流搬送通路５０６内に突出した開放位置と還流搬送通路５０６から退避した閉鎖位置との間を回動する。開放位置にある上偏向レバー５３８ａと下偏向レバー５３８ｂは上端部が還流搬送通路５０６内に突出し、他の還流庫への紙幣の収納、他の還流庫からの紙幣の排出及び回収庫５５１への紙幣の搬送を阻害する。閉鎖位置にある上偏向レバー５３８ａと下偏向レバー５３８ｂは上端部が還流搬送通路５０６内に突出せず、他の還流庫への紙幣の収納、他の還流庫からの紙幣の排出及び回収庫５５１への紙幣の搬送を阻害しない。
【００９０】
入出金口５２０に挿入されて入出金処理ユニット５０２から還流搬送通路５０６に供給されてきた紙幣はその金種に対応した収納部５３１、又は５３２に振り分けられて収納されるが、その際に当該紙幣を収納する収納部に対応する偏向レバー５３８ａ、５３８ｂは開放位置にある。紙幣先端が対応する収納部に進入したことが検知されると、還流搬送通路５０６から紙幣を取り込む供給ローラ５３３ａ、５３３ｂを取込方向へ駆動することにより、当該紙幣を図９に示した待受け状態にある支持板５５７ａ、５５７ｂ上に導く。支持板上に紙幣が移動して停止した状態で支持板を固定状態にある図示しない押込み部材に向けて上昇させることにより紙幣の幅方向中央部が押込み部材により押圧されて支持板中央部に設けた開口を経由して底板５５５ａ、５５５ｂ上に移載される。即ち、上昇方向へバネ付勢されている支持板上の紙幣をバネに抗して押込み部材が押し込むことにより底板への紙幣の移載が完了する。また、各底板上に移載された後の紙幣（束）はその上面を各支持板の下面により押圧されることにより整列状態を維持される。
【００９１】
各還流式紙幣収納部５３１、５３２からの紙幣の払出動作では、図示しないリフターにより底板５５５ａ、５５５ｂを軸５５５ｃ、５５５ｄを中心として上昇方向へ回動させて傾斜状態に保持することにより、各底板５５５ａ、５５５ｂ上の紙幣束の上面を繰出しローラ５３４ａ、５３４ｂに当接させて払出の準備を完了する。更に、繰出しローラ５３４ａ、５３４ｂ及び供給ローラ５３３ａ、５３３ｂを繰出し方向へ回転することにより、各還流式紙幣収納部５３１、５３２から紙幣を還流搬送通路５０６に繰出すことができる。
【００９２】
次に、各ソレノイド５８１、５８２により各偏向レバー５３８ａ、５３８ｂが開放位置に回動された状態で、金種に対応する還流モータ５７０ａ、５７０ｂを逆転すると、搬送モータ５２３が逆転するので、所定の金種の紙幣は対応する還流式紙幣収納部から排出される。
【００９３】
本例に係る回収庫５５１の構成は図１の回収庫８０と同様に構成する。
即ち、回収庫（回収紙幣収納部）５５１は、ケーシング５５２内において昇降自在に支持されて上面に紙幣を積載する紙幣積載台５５３と、紙幣積載台を上方に常時付勢するバネ５５４と、下側の走行面で紙幣積載台５５３（既積載紙幣）の上面と接触しつつ入口５５５から搬送されてきた紙幣を紙幣積載台上に移送する移送ベルト５５６と、移送ベルト下面により紙幣積載台上に移送されてきた紙幣を紙幣積載台上に押し込む図示しない昇降アームなどを有する。
【００９４】
第２実施形態の入出金処理ユニット５０２は、第１実施形態の入出金処理ユニットＭと同様に、制御ユニット１０００を具備する。制御ユニット１０００は、例えば、紙幣処理装置５００における各モータを駆動させる処理を実行する。また、第２実施形態のケーシング５３０（第１還流式紙幣収納部５３１、第２還流式紙幣収納部５３２）には、コネクタ（第１実施形態の図５のコネクタ２０２に対応）を具備するメモリ基板が設けられる。
【００９５】
入出金処理ユニット５０２は、ケーシング５３０のメモリ基板のコネクタと接続可能なコネクタ（第１実施形態の図５のコネクタ３０５に対応）を具備する。ケーシング５３０が入出金処理ユニット５０２に装着された場合、ケーシング５３０側のコネクタが入出金処理ユニット５０２側のコネクタに挿入される。以上の場合、ケーシング５３０のメモリ基板が制御ユニット１０００と電気的に接続される。
【００９６】
ケーシング５３０のメモリ基板には、個別メモリ（第１実施形態の個別メモリ２０１に対応）が設けられる。以上の個別メモリは、各種の情報を不揮発的に記憶する。当該個別メモリとしては、例えば、フラッシュメモリが採用され得る。ケーシング５３０の個別メモリが記憶する各種の情報には、特定情報Ｊｘが含まれる。
【００９７】
図１０は、ケーシング５３０の個別メモリが記憶する特定情報Ｊｘを説明するための図である。ケーシング５３０には、ニアフルセンサおよびエンドセンサが設けられる。ニアフルセンサは、上述の底板５５５および支持板５５７の間に収納される紙幣が予め定められた枚数に達した場合にＯＦＦ状態になる。具体的には、底板５５５および支持板５５７の間に収納される紙幣のうち一番上に位置する紙幣と当該底板５５５との距離（札束の厚さ）は、収納される紙幣が多いほど長い。ニアフルセンサは、収納される紙幣が約２５枚に達した場合、当該紙幣のうち一番上に位置する紙幣を検知する。
【００９８】
第２実施形態では、底板５５５および支持板５５７の間に最大で約３０枚の紙幣を収納できる。すなわち、ニアフルセンサがＯＦＦ状態に移行した場合、残り約５枚で紙幣が収納できなくなる。ニアフルセンサがＯＦＦ状態に移行した場合、その旨が報知される。例えば、紙幣処理装置５００に満タンＬＥＤを設け、ニアフルセンサがＯＦＦ状態に移行した場合、当該満タンＬＥＤが点灯する構成が考えられる。以上の構成では、満タンＬＥＤが点灯した場合、ケーシング５３０の紙幣を回収すべき旨を把握できる。
【００９９】
ケーシング５３０のエンドセンサは、支持板５５７が特定の位置に移動した場合にＯＦＦ状態になる。具体的には、上述した通り支持板５５７は上昇駆動される。第２実施形態では、エンドセンサにより検知される位置まで支持板５５７が上昇する。支持板５５７を検知した場合、エンドセンサがＯＦＦ状態に移行し、制御ユニット１０００へ検知信号が送信される。制御ユニット１０００は、当該検知信号を受信した場合、支持板５５７の上昇駆動を停止するための停止信号をケーシング５３０に出力する。停止信号が入力された場合、支持板５５７の上昇駆動が停止する。
【０１００】
ケーシング５３０は、第１還流式紙幣収納部５３１および第２還流式紙幣収納部５３２を含む。第１還流式紙幣収納部５３１および第２還流式紙幣収納部５３２の各々に、上述のニアフルセンサおよびエンドセンサが設けられる。以下において、説明のため、第１還流式紙幣収納部５３１のニアフルセンサおよびエンドセンサを、第１ニアフルセンサおよび第２エンドセンサという。また、第２還流式紙幣収納部５３１のニアフルセンサおよびエンドセンサを、第２ニアフルセンサおよび第２エンドセンサという。
【０１０１】
図１０に示す通り、第２実施形態の特定情報Ｊｘは、上述の第１実施形態の特定情報Ｊ（ａ、ｂ）と同様に、機種情報、ユニットＩＤ、ソフトバージョンを含む。また、特定情報Ｊｘは設定金種を含む。第２実施形態の特定情報Ｊｘの設定金種は、第１還流式紙幣収納部５３１に収納される金種および第２還流式紙幣収納部５３２に収納される金種を示す。図１０の具体例では、第１還流式紙幣収納部５３１に金種Ａの紙幣が収納され、第２還流式紙幣収納部５３２に金種Ｂの紙幣が収納される場合を想定する。
【０１０２】
特定情報Ｊｘは、上限枚数および保有枚数を含む。上限枚数は、第１還流式紙幣収納部５３１に収納可能な紙幣の最大枚数（図１０の例では３０枚）を示す情報、および、第２還流式紙幣収納部５３２に収納可能な紙幣の最大枚数（図１０の例では３０枚）を示す情報を含む。また、保有枚数は、第１還流式紙幣収納部５３１に収納される紙幣の枚数（図１０の例では１０枚）を示す情報、および、第２還流式紙幣収納部５３２に収納される紙幣の枚数（図１０の例では１２枚）を示す情報を含む。
【０１０３】
特定情報Ｊｘは、基準光量および計測光量を含む。第２実施形態のニアフルセンサは、第１実施形態のセンサ１００と同様に、受光素子および発光素子を含んで構成される。また、エンドセンサは、受光素子および発光素子を含んで構成される。特定情報Ｊｘの基準光量は、紙幣処理装置５００の出荷時において、第１ニアフルセンサの受光素子で検知される光量を示す情報、および、第２ニアフルセンサの受光素子で検知される光量を示す情報を含む。また、特定情報Ｊｘの計測光量は、第１ニアフルセンサの受光素子で検知される光量の現在値を示す情報、および、第２ニアフルセンサの受光素子で検知される光量の現在値を示す情報を含む。特定情報Ｊｘのエラー情報は、ケーシング５３０で発生したエラーの回数を示す。
【０１０４】
以上の第２実施形態によれば、第１実施形態と同様な効果が奏せられる。なお、第２実施形態において、第１還流式紙幣収納部５３１に関する情報（第１ニアフルセンサの基準光量等）を記憶する個別メモリ、および、第２還流式紙幣収納部５３２に関する情報（第２ニアフルセンサの基準光量等）を記憶する個別メモリを別々に設けてもよい。しかし、以上の構成では、２個以上の個別メモリが必要になる。第２実施形態によれば、個別メモリの個数は１で足りるため、メモリの個数が削減できるという利点がある。
【０１０５】
＜変形例＞
以上の各形態は多様に変形される。具体的な変形の態様を以下に例示する。以下の例示から任意に選択された２以上の態様は適宜に併合され得る。
【０１０６】
（１）上述の各形態における特定情報Ｊは適宜に変更できる。例えば、上述の各センサの基準光量および計測光量が特定情報Ｊに含まれない構成としてもよい。また、エラーの発生回数を示すエラー情報に加え、各エラーが発生した日時を特定可能な情報が特定情報Ｊに含まれる構成としてもよい。具体的には、制御ユニットに時刻情報を生成可能なＲＴＣ（real time clock）回路を設ける。個別メモリは、エラーが発生した場合、ＲＴＣ回路の時刻情報を特定情報Ｊとして記憶する。以上の構成によれば、エラーが発生した時刻を事後的に特定可能になる。
【０１０７】
（２）以上の各形態において、制御ユニット１０００は、特定の契機（例えば電源投入時）に計測光量を基準光量に調整する構成としてもよい。具体的には、計測光量が基準光量になるように、センサの発光素子の光量を調整する。また、以上の構成において、例えば情報読取装置７００に紙幣収納部を接続した状態で、管理用コンピュータ７０１の操作部を適宜に操作することで、基準光量（調整後の光量）を変更可能な構成としてもよい。管理者は、センサ毎に最適な基準光量を設定することで、各センサの検知精度を向上させることができる。
【０１０８】
（３）上述の各形態において、個別メモリが回収庫８０に設けられる構成としてもよい。例えば、個別メモリが実装されるメモリ基板が回収庫８０に設けられ、回収庫８０が紙幣処理装置１に装着された場合、当該メモリ基板と制御ユニット１０００とが電気的に接続される。以上の個別メモリには、回収庫８０の特定情報Ｊが記憶される。また、以上の構成では、当該特定情報Ｊには回収庫８０に収納される紙幣の枚数が含まれる。また、回収庫８０に収納される紙幣の枚数が金種毎に個別メモリに記憶される構成としてもよい。
【０１０９】
（４）上述の第１実施形態では、紙幣収納部（４０、６０）のコネクタ３０５から特定情報Ｊを読取可能な構成とした。以上のコネクタ３０５は、紙幣収納部の後ろ側（利用者の反対側）に位置し、紙幣処理装置１に装着された状態では、当該紙幣処理装置１の内部に収納される。しかし、紙幣収納部の前側（利用者側）にコネクタを設け、当該コネクタから特定情報Ｊが読取可能な構成としてもよい。ただし、以上の変形例では、例えば不正な読取装置を用いて、特定情報Ｊを取得または改竄する不正行為が容易になる。第１実施形態によれば、特定情報Ｊが読取可能なコネクタが紙幣収納部の裏側のみに設けられる。したがって、上述の不正行為が抑制されるという効果が奏せられる。
【０１１０】
（５）上述の第１実施形態では、紙幣収納部（４０、６０）のドラム（４１、４５、６１、６５）１個に対して、１種類の金種の紙幣が収納された。しかし、紙幣収納部のドラムの各々が相違する金種の紙幣を収納する構成としてもよい。例えば、金種「Ａ」の紙幣と金種「Ｂ」の紙幣とが一度に入金された場合を想定する。以上の場合、紙幣収納部のドラム１個に１種類の金種の紙幣が収納される構成（例えば第１実施形態）では、金種「Ａ」および金種「Ｂ」が別々のドラムに収納されるため、紙幣が収納されるドラムを切替えるための制御を要する。一方、当該変形例では、金種「Ａ」および金種「Ｂ」が同じドラムに収納できるため、紙幣が収納されるドラムを切替えるための制御が必須ではない。したがって、当該変形例によれば、複数種類の紙幣が一度に入金された場合の制御を簡単にできるという利点がある。
【０１１１】
図１１は、当該変形例の順序情報ｊを説明するための図である。順序情報ｊは、特定情報Ｊとして、紙幣収納部の個別メモリ２０１および制御ユニット１０００のメインメモリ３０４に記憶される。順序情報ｊ（ａ〜ｄ）は、紙幣収納部のドラム（４１、４５、６１、６５）毎に設けられ、当該ドラムから排出される紙幣の順序（以下「収納順序」という）を示す。図１１に示す通り、順序情報ｊは、順序情報ｊａ、順序情報ｊｂ、順序情報ｊｃおよび順序情報ｊｄを含む。順序情報ｊａは、紙幣収納部４０に設けられたドラム４１の収納順序を示す。また、順序情報ｊｂは、紙幣収納部４０に設けられたドラム４５の収納順序を示し、順序情報ｊｃは、紙幣収納部６０に設けられたドラム６１の収納順序を示し、順序情報ｊｄは、ドラム６５の収納順序を示す。
【０１１２】
図１１の具体例では、順序情報ｊａは、個別メモリ２０１のアドレス「ａ００〜ａ２９」に記憶される。同様に、順序情報ｊｂは、個別メモリ２０１のアドレス「ｂ００〜ｂ２９」に記憶され、順序情報ｊｃは、個別メモリ２０１のアドレス「ｃ００〜ｃ２９」に記憶され、順序情報ｊｄは、個別メモリ２０１のアドレス「ｄ００〜ｄ２９」に記憶される。順序情報ｊの各アドレスには、当該順序情報ｊに対応するドラムに収納された紙幣の金種を示す情報が記憶される。図１１の具体例では、金種「Ａ」、金種「Ｂ」および金種「Ｃ」の紙幣が各ドラムに収納される場合を想定する。なお、図１１の文字「Ｎｕｌｌ」は空きデータを意味する。
【０１１３】
図１１の具体例では、ドラムに収納された（巻き取られた）紙幣のうち、先に収納された紙幣ほど、順序情報ｊの小さなアドレスに金種が記憶される。例えば、図１１の具体例では、金種「Ａ」の紙幣が３枚および金種「Ｃ」の紙幣が１枚の合計４枚の紙幣がドラム４１に記憶される場合を想定する。また、以上の具体例では、金種「Ａ」の紙幣が２枚収納され、その後、金種「Ｃ」の紙幣が１枚収納され、その後、金種「Ａ」の紙幣が１枚収納される。以上の場合、順序情報ｊａのアドレス「ａ００」に金種「Ａ」を示す情報が記憶され、アドレス「ａ０１」に金種「Ａ」を示す情報が記憶され、アドレス「ａ０２」に金種「Ｃ」を示す情報が記憶され、アドレス「ａ０３」に金種「Ａ」を示す情報が記憶される。
【０１１４】
以上の順序情報ｊａは、ドラム４１からは「金種Ａ→金種Ｃ→金種Ａ→金種Ａ」の順序（収納順序）で紙幣を排出可能であることを示す。同様に、図１１に示す順序情報ｊｂは、ドラム４５からは「金種Ａ→金種Ｃ→金種Ｃ→金種Ａ→金種Ｂ」の順序で紙幣を排出可能であることを示し、順序情報ｊｃは、ドラム６１からは「金種Ｃ→金種Ｂ→金種Ａ→金種Ａ→金種Ａ→金種Ｂ」の順序で紙幣を排出可能であることを示し、順序情報ｊｄは、ドラム６５からは「金種Ｂ→金種Ｂ→金種Ａ→金種Ｃ→金種Ａ→金種Ａ」の順序で紙幣を排出可能であることを示す。
【０１１５】
上述した通り順序情報ｊは、紙幣収納部の個別メモリ２０１に記憶される。以上の構成において、情報読取装置７００で順序情報ｊを読取り、管理用モニタ７０２で表示可能な構成としてもよい。以上の構成によれば、紙幣収納部に収納されている紙幣の収納順序を管理用モニタ７０２により確認することができる。
【０１１６】
個別メモリ２０１の順序情報ｊとメインメモリ３０４の順序情報ｊとを特定の契機で対比可能な構成としてもよい。以上の構成の具体例としては、例えば、紙幣収納部が紙幣処理装置１に装着された場合、個別メモリ２０１の順序情報ｊとメインメモリ３０４の順序情報ｊとが比較される構成が考えられる。また、以上の構成において、比較結果が一致しない場合、その旨が報知される構成としてもよい。さらに、比較結果が一致しない場合、紙幣処理装置１が動作不能になる構成としてもよい。比較結果が一致しない場合、メインメモリ３０４の順序情報ｊを個別メモリ２０１が記憶する順序情報ｊで上書きする構成としてもよい。
【０１１７】
（６）以上の第１実施形態および第２実施形態において、紙幣収納部の個別メモリ２０１の特定情報Ｊおよび制御ユニット１０００のメインメモリ３０４の特定情報Ｊを比較し、双方の特定情報Ｊが相違する場合、特定の処理が実行される構成としてもよい。例えば、紙幣収納部の個別メモリ２０１の特定情報Ｊおよび制御ユニット１０００のメインメモリ３０４の特定情報Ｊを比較した結果が相違する場合、その旨を報知するための処理が実行される構成としてもよい。また、以上の対比結果が個別メモリ２０１に記憶され、特定情報Ｊが情報読取装置７００で読取られた場合、当該対比結果が管理モニタ７０２に表示される構成としてもよい。以上の場合、本来装着される紙幣収納部とは相違する紙幣収納部が紙幣処理装置１に装着された旨を管理者が把握可能になる。
【０１１８】
（７）以上の各形態では、特定情報Ｊを管理用モニタ７０２に表示することで紙幣収納部の各構成（ドラム等）をメンテナンスすべき時期を把握可能にした。しかし、紙幣処理装置１が個別メモリの特定情報Ｊに応じた報知を実行することで、紙幣収納部の各構成のメンテナンスをすべき時期が把握可能な構成としてもよい。例えば、紙幣処理装置１に報知手段（報知ＬＥＤなど）を設ける。以上の構成において、紙幣処理装置１の制御ユニットは、各個別メモリの駆動回数を監視する。個別メモリの駆動回数が予め定められた閾値（メンテナンスを要する駆動回数）に達した場合、その旨を報知手段により報知する。また、以上の構成においてモータ速度を監視し、モータ速度が予め定められた閾値以下である場合、その旨を報知手段により報知してもよい。さらに、計測光量を監視し、計測光量が予め定められた閾値以下である場合、その旨を報知手段により報知してもよい。
【０１１９】
本発明の紙葉収納装置は、例えば以下の制御装置である。
本発明の紙葉収納装置は、搬送されてくる紙葉を受け入れて紙葉収納装置（４０、６０）に収納する収納機能、又は/及び、該紙葉収納装置に収納されている紙葉を送り出す送出機能、を備えた紙葉処理装置（１）に装備される紙葉収納装置であって、紙葉の収納、又は送出に応じて更新される特定情報（Ｊ）を記憶する記憶部（２０１）を備えていることを特徴とする。以上の構成では、例えば紙葉収納装置（紙幣収納部）の記憶部から特定情報を読取可能な読取装置を管理室に設けることで、当該紙葉収納装置のメンテナンスの要否を判断する作業、および、当該紙葉収納装置のメンテナンスの双方を管理室ですることができる。
【符号の説明】
【０１２０】
１…紙幣処理装置、４０…第１紙幣収納部、６０…第２紙幣収納部、１００…テープフルエンプティーセンサ、２００…メモリ基板、２０１…個別メモリ、２０２…コネクタ。
【図１】
2020004089.tif 000003
【図２】
2020004089.tif 000004
【図３】
2020004089.tif 000005
【図４】
2020004089.tif 000006
【図５】
2020004089.tif 000007
【図６】
2020004089.tif 000008
【図７】
2020004089.tif 000009
【図８】
2020004089.tif 000010
【図９】
2020004089.tif 000011
【図１０】
2020004089.tif 000012
【図１１】
2020004089.tif 000013
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
紙葉を収納可能な紙葉収納装置を着脱自在に装備するとともに、搬送されてくる紙葉を受け入れて前記紙葉収納装置に収納する収納機能、又は／及び、該紙葉収納装置に収納されている紙葉を送り出す送出機能を備えた紙葉処理装置であって、
前記紙葉収納装置は、第１紙葉収納装置および前記第１紙葉収納装置とは異なる種類の紙葉を収納する第２紙葉収納装置を含み、
前記第１紙葉収納装置は、
前記第１紙葉収納装置に紙葉が収納される場合、又は／及び、前記第１紙葉収納装置から紙葉を送り出す場合に回転する第１ドラム部と、
前記第１紙葉収納装置に収納される紙葉の種類を示す第１紙葉情報および前記第１ドラム部の回転数を示す第１回数情報を記憶する第１記憶部とを含み、
前記第２紙葉収納装置は、
前記第２紙葉収納装置に紙葉が収納される場合、又は／及び、前記第２紙葉収納装置から紙葉を送り出す場合に回転する第２ドラム部と、
前記第２紙葉収納装置に収納される紙葉の種類を示す第２種類情報および前記第２ドラム部の回転数を示す第２回数情報を記憶する第２記憶部とを含む
紙葉処理装置。
【請求項２】
前記第１紙葉収納装置は、光を検知する受光素子および前記受光素子に光を照射する発光素子を含む第１センサ部を備え、
前記第２紙葉収納装置は、光を検知する受光素子および前記受光素子に光を照射する発光素子を含む第２センサ部を備え、
前記第１センサ部の受光素子で検知される光量を計測し前記第１記憶部に記憶させるとともに、前記第２センサ部の受光素子で検知される光量を計測し前記第２記憶部に記憶させる光量計測部を具備する
請求項１に記載の紙葉処理装置。
【請求項３】
前記第１紙葉収納装置は、前記第１ドラム部を回転させる第１モータ部を備え、
前記第２紙葉収納装置は、前記第２ドラム部を回転させる第２モータ部を備え、
前記第１モータ部の回転速度を計測し前記第１記憶部に記憶させるとともに、前記第２モータ部の回転速度を計測し前記第２記憶部に記憶させる速度計測部を具備する
請求項１または請求項２に記載の紙葉処理装置。
【手続補正３】
【補正対象書類名】明細書
【補正対象項目名】０００７
【補正方法】変更
【補正の内容】
【０００７】
以上の課題を解決するため、本発明の紙葉処理装置は、紙葉を収納可能な紙葉収納装置を着脱自在に装備するとともに、搬送されてくる紙葉を受け入れて紙葉収納装置に収納する収納機能、又は／及び、該紙葉収納装置に収納されている紙葉を送り出す送出機能を備えた紙葉処理装置であって、紙葉収納装置は、第１紙葉収納装置および第１紙葉収納装置とは異なる種類の紙葉を収納する第２紙葉収納装置を含み、第１紙葉収納装置は、第１紙葉収納装置に紙葉が収納される場合、又は／及び、第１紙葉収納装置から紙葉を送り出す場合に回転する第１ドラム部と、第１紙葉収納装置に収納される紙葉の種類を示す第１紙葉情報および第１ドラム部の回転数を示す第１回数情報を記憶する第１記憶部とを含み、第２紙葉収納装置は、第２紙葉収納装置に紙葉が収納される場合、又は／及び、第２紙葉収納装置から紙葉を送り出す場合に回転する第２ドラム部と、第２紙葉収納装置に収納される紙葉の種類を示す第２種類情報および第２ドラム部の回転数を示す第２回数情報を記憶する第２記憶部とを含む。以上の構成では、例えば紙葉収納装置（紙幣収納部）の記憶部から特定情報を読取可能な読取装置を管理室に設けることで、当該紙葉収納装置のメンテナンスの要否を判断する作業、および、当該紙葉収納装置のメンテナンスの双方を管理室ですることができる。
【手続補正４】
【補正対象書類名】明細書
【補正対象項目名】０１１９
【補正方法】変更
【補正の内容】
【０１１９】
本発明の紙葉処理装置（１）は、紙葉を収納可能な紙葉収納装置を着脱自在に装備するとともに、搬送されてくる紙葉を受け入れて紙葉収納装置（４０、６０）に収納する収納機能、又は／及び、該紙葉収納装置に収納されている紙葉を送り出す送出機能を備えた紙葉処理装置であって、紙葉収納装置は、第１紙葉収納装置（４０）および第１紙葉収納装置とは異なる種類の紙葉を収納する第２紙葉収納装置（６０）を含み、第１紙葉収納装置は、第１紙葉収納装置に紙葉が収納される場合、又は／及び、第１紙葉収納装置から紙葉を送り出す場合に回転する第１ドラム部と、第１紙葉収納装置に収納される紙葉の種類を示す第１紙葉情報および第１ドラム部の回転数を示す第１回数情報を記憶する第１記憶部（２０１ｘ）とを含み、第２紙葉収納装置は、第２紙葉収納装置に紙葉が収納される場合、又は／及び、第２紙葉収納装置から紙葉を送り出す場合に回転する第２ドラム部と、第２紙葉収納装置に収納される紙葉の種類を示す第２種類情報および第２ドラム部の回転数を示す第２回数情報を記憶する第２記憶部（２０１ｙ）とを含む。以上の構成では、例えば紙葉収納装置（紙幣収納部）の記憶部から特定情報を読取可能な読取装置を管理室に設けることで、当該紙葉収納装置のメンテナンスの要否を判断する作業、および、当該紙葉収納装置のメンテナンスの双方を管理室ですることができる。